(57)【要約】【課題】フェムトセル無線基地局が送出している電力を調整し、また、移動局が接続されていていない状態での無駄な電力消費を抑える。【解決手段】移動局２００は定期的にフェムトセル無線基地局に対し、受信電力通知を行なう（Ｓ６１１）。受信電力通知を受けたフェムトセル無線基地局１００は、受信電力通知を受信すると、移動局１００の受信電力に合わせた電力制御を行なう（Ｓ６１３）。フェムトセル無線基地局１００は、接続移動局がない場合は、稼動状態レジスタ１２３を「ＳｌｅｅｐＭｏｄｅ」に変更し、事前に設定した最小の送信電力にて運用する（Ｓ６３３）。また、フェムトセル無線基地局１００は、稼働状態レジスタ１２３が「ＳｌｅｅｐＭｏｄｅ」で、しかも移動局２００からの接続要求がない場合、基地局１００の電源をＯＦＦにする（Ｓ６３６）。【選択図】図７
2011244378.tif 000002
【特許請求の範囲】
【請求項１】
移動局の接続状態を監視する移動局監視部と、前記移動局との通信を行なう通信制御部と、前記移動局から取得した受信電力に基づいて送信電力を算出する電力算出部と、この電力算出部の算出電力に基づいて送信電力を制御する電力制御部と、この電力制御部の制御により送信電力を決定する電力制御装置とからなる無線基地局であって、
前記移動局監視部が移動局の接続が予め定めた第１の時間の間ないことを検出したとき、前記電力制御部は、受信電力通知要求メッセージの送信電力を予め定めた第１の値から予め定めた第２の値に低減することを特徴とする無線基地局。
【請求項２】
請求項１に記載の無線基地局であって、
予め定めた第２の値で前記受信電力通知要求メッセージを送信中に、前記移動局監視部が移動局の接続が予め定めた第２の時間ないことを検出したとき、前記電力制御部は、無線基地局の電源をＯＦＦとすることを特徴とする無線基地局。
【請求項３】
請求項１に記載の無線基地局であって、
予め定めた第２の値で前記受信電力通知要求メッセージを送信中に、前記移動局監視部が移動局の接続を検出したとき、前記電力制御部は、メッセージの送信電力を前記予め定めた第１の値とすることを特徴とする無線基地局。
【請求項４】
請求項１に記載の無線基地局であって、
前記電力算出部は、前記送信電力に対する前記受信電力の電力比を演算し、前記電力制御部は、前記電力比に基づいて送信電力を制御することを特徴とする無線基地局。
【発明の詳細な説明】
【技術分野】
【０００１】
本発明は、無線基地局に係り、特にフェムトセル無線基地局の電力制御技術、省電力状態への移行技術、その状態からの復帰技術に関する。
【背景技術】
【０００２】
近年、マクロ無線基地局の電波が届きにくいビルの中心部、一般家庭内といったごく狭い範囲内で、より高速なデータ通信環境を提供するフェムセル無線基地局が開発された。フェムトセル無線基地局は、常に一定の電力で無線通信端末に対して通知情報を送信している。このため、一般家庭内に設置することを考えると、電気代等のコスト面からフェムトセル無線基地局の電力消費を抑えることが望まれている。
【０００３】
特許文献１は、一定時間移動局との通信が少ない場合、無線基地局の電源を切って電力消費を抑える技術を開示している。
【０００４】
また、特許文献２は、夜間閉鎖される閉空間に設置される基地局装置の消費電力を低減すために、事前に設定されたタイマにより電源をＯＮ、ＯＦＦする技術を開示している。
【先行技術文献】
【特許文献】
【０００５】
【特許文献１】特開２００９−０３３４７６号公報
【特許文献２】特開２００４−３５６８３８号公報
【発明の概要】
【発明が解決しようとする課題】
【０００６】
フェムトセル無線基地局は、一般家庭内での使用を前提としたセル範囲の狭い無線基地局である。このため、時間帯によっては、移動局がセル範囲内に存在しない場合がほとんどである。
【０００７】
そこで、本発明は、フェムトセル範囲内に移動局が存在しない場合、省電力制御を実行するフェムトセル無線基地局を提供する。このフェムトセル無線基地局は、消費電力を抑え、一般家庭における電気代等のコスト低減を図ることができる。
【課題を解決するための手段】
【０００８】
上述した課題は、移動局の接続状態を監視する移動局監視部と、移動局との通信を行なう通信制御部と、移動局から取得した受信電力に基づいて送信電力を算出する電力算出部と、この電力算出部の算出電力に基づいて送信電力を制御する電力制御部と、この電力制御部の制御により送信電力を決定する電力制御装置とからなる無線基地局であって、移動局監視部が移動局の接続が予め定めた第１の時間の間ないことを検出したとき、電力制御部は、受信電力通知要求メッセージの送信電力を予め定めた第１の値から予め定めた第２の値に低減する無線基地局により、達成できる。
【発明の効果】
【０００９】
本発明によれば、無線基地局は、移動局からの接続がない場合、省電力運用へ移行する。また、無線基地局は、通常運用時の電力制御により消費電力を抑える。
【図面の簡単な説明】
【００１０】
【図１】無線通信システムの構成を説明するブロック図である。
【図２】フェムトセル無線基地局の機能ブロック図である。
【図３Ａ】接続移動局情報テーブルを説明する図である。
【図３Ｂ】送信電力レジスタを説明する図である。
【図３Ｃ】稼働状態レジスタを説明する図である。
【図３Ｄ】ＳｌｅｅｐＭｏｄｅカウンタを説明する図である。
【図３Ｅ】ＰｏｗｅｒＯＦＦカウンタを説明する図である。
【図４Ａ】基地局情報テーブルを説明する図である。
【図４Ｂ】電力制御基準値テーブルを説明する図である。
【図４Ｃ】プログラム格納レジスタを説明する図である。
【図５】移動局の機能ブロック図である。
【図６Ａ】受信電力テーブルを説明する図である。
【図６Ｂ】移動局情報テーブルを説明する図である。
【図７】無線通信システムの動作を説明するシーケンス図である。
【図８】移動局の受信電力通知処理を説明するフローチャートである。
【図９】フェムトセル無線基地局の接続移動局情報テーブル更新処理を説明するフローチャートである。
【図１０】フェムトセル無線基地局の移動局接続情報テーブルの更新処理を説明するフローチャートである。
【図１１】フェムトセル無線基地局のＳｌｅｅｐＭｏｄｅ動作を説明するフローチャートである。
【図１２】フェムトセル無線基地局の電力制御プログラムの処理を説明するフローチャートである。
【発明を実施するための形態】
【００１１】
以下、本発明の実施の形態について、実施例を用い図面を参照しながら詳細に説明する。なお、実質同一部位には同じ参照番号を振り、説明は繰り返さない。
【００１２】
図１を参照して、無線通信システム５００の構成を説明する。図１において、無線通信システム５００は、携帯電話等の３台の移動局２００と、３台のフェムトセル無線基地局と、ＩＰ（Internet Protocol）網１とから構成されている。移動局２００は、フェムトセル無線基地局１００と無線通信する。
【００１３】
３台のフェムトセル無線基地局１００−Ａ、１００−Ｂ、１００−Ｃは、ＩＰ網１により接続されている。フェムトセル無線基地局１００−Ａは、移動局２００−Ａを収容している。フェムトセル無線基地局１００−Ｂは、移動局２００−Ｂを収容している。フェムトセル無線基地局１００−Ｃは、移動局２００−Ｃを収容している。
【００１４】
図２を参照して、フェムトセル無線基地局１００の構成を説明する。図２において、フェムトセル無線基地局１００は、内部通信線１８０で相互接続されたＣＰＵ１１０、ＲＡＭ１２０、フラッシュＲＯＭ１３０、電力制御装置１４０、無線Ｉ／Ｆ１５０、Ｎｅｔｗｏｒｋ Ｉ／Ｆ１６０、変換部１７０、ＡＮＴＳ部１５１で構成される。
【００１５】
ＣＰＵ１１０は、通信制御部１１１、移動局監視部１１２、電力制御部１１３、電力算出部１１４として、機能する。ＲＡＭ１２０は、接続移動局情報テーブル１２１、送信電力レジスタ１２２、稼働状態レジスタ１２３、ＳｌｅｅｐＭｏｄｅカウンタ１２４、ＰｏｗｅｒＯＦＦカウンタ１２５を保持する。
【００１６】
フラッシュＲＯＭ１３０は、基地局情報テーブル１３１、電力制御基準値テーブル１３２、プログラム１３３を保存する。Ｎｅｔｗｏｒｋ Ｉ／Ｆ１６０は、フェムトセル無線基地局１００をＩＰ網１と接続する。ＡＮＴＳ部１５１は、移動局２００との電波を送受信する。
【００１７】
ＣＰＵ１１０は、各種演算処理を実行する。ＲＡＭ１２０は、このＣＰＵ１１０のワークエリアとなる。フラッシュＲＯＭ装置等の補助記憶装置１３０は、各種データやプログラムが格納されている。電力制御部１４０は、各部への電力供給を制御する。アンテナ１５１は、携帯端末等の移動局２００との間で無線通信する。無線インタフェース１５０は、アンテナ１５１と接続され、インタフェースを提供している。ネットワークインタフェース１６０は、ＩＰ網１を介して他のフェムトセル無線基地局や装置と通信する。変換部１７０は、無線インタフェース１５０とネットワークインタフェース１６０との間の信号変換処理を行なう。
【００１８】
通信制御部１１１は、機能的に、他の装置との通信制御を行なう。移動局監視部１１２は、移動局からの電波状態や接続要求・終了要求を監視し、フラッシュＲＯＭ１３０に移動局２００の受信電力を格納する。電力制御部１１３は、無線インタフェース１５０からの送信電力を制御する。電力算出部１１４は、フラッシュＲＯＭ１３０に格納されている接続中の移動局２００の受信電力から移動局２００の電力比と基地局の送信電力を算出する。
【００１９】
なお、以上の各機能部１１１〜１１４は、いずれも、ＣＰＵ１１０がフラッシュＲＯＭ１３０に格納されている各種プログラム１３３を実行することで機能する。
【００２０】
図３Ａないし図３Ｅを参照して、フェムトセル無線基地局１００のＲＡＭ１２０が保持する接続移動局情報テーブル１２１、送信電力レジスタ１２２、稼働状態レジスタ１２３、ＳｌｅｅｐＭｏｄｅカウンタ１２４、ＰｏｗｅｒＯＦＦカウンタ１２５を説明する。
【００２１】
図３Ａにおいて、接続移動局情報テーブル１２１は、フェムトセル無線基地局１００に接続中の移動局２００の情報が格納される。接続移動局情報テーブル１２１は、移動局ＩＤ１２１１、移動局通信アドレス１２１２、移動局番号１２１３、受信電力１２１４、基準局フラグ１２１５から構成される。
【００２２】
移動局ＩＤ１２１１は、接続中の移動局２００の識別子が格納される。通信アドレス１２１２は、移動局２００の通信アドレスが格納される。端末番号１２１３は、移動局２００の電話番号が格納される。受信電力１２１４は、移動局２００が送信してくる受信電力が格納される。受信電力１２１４は、電力算出部１１４にて電力比を求めるのに使用する受信電力を保持する。基準局フラグ１２１５は、受信電力が最も低い接続中の基準移動局には「１」を格納し、それ以外の移動局には「０」を格納する。
【００２３】
図３Ｂにおいて、送信電力レジスタ１２２は、基地局１００の送信電力情報を格納する。送信電力レジスタ１２２は、送信電力であるＰ［Ｗ］を記録する。
図３Ｃにおいて、稼動状態レジスタ１２３は、基地局１００の電力制御モード情報が格納される。稼動状態レジスタ１２３は、ここでは稼動状態レジスタ１２３のデフォルトのＳｌｅｅｐＭｏｄｅを記録している。
【００２４】
図３Ｄにおいて、ＳｌｅｅｐＭｏｄｅカウンタ１２４は、通常運用中の基地局１００に移動局２００が接続されていない状態の時間が格納される。ＳｌｅｅｐＭｏｄｅカウンタ１２４は、ここでは０[sec]を記憶している。
図３Ｅにおいて、ＰｏｗｅｒＯＦＦカウンタ１２５は、基地局１００の稼働状態レジスタ１２３が「ＳｌｅｅｐＭｏｄｅ」のときの移動局２００が接続されていない状態の時間が格納される。ここでは、ＰｏｗｅｒＯＦＦカウンタ１２５は、０[sec]を記憶している。
【００２５】
図４Ａないし図４Ｃを参照して、フェムトセル無線基地局１００のフラッシュＲＯＭ１３０の記録内容を説明する。図４において、フラッシュＲＯＭ１３０には、基地局情報テーブル１３１、電力制御基準値テーブル１３２、プログラム格納領域１３３を保持する。
【００２６】
図４Ａにおいて、基地局情報テーブル１３１は、フェムトセル無線基地局１００の情報が格納されている。基地局情報テーブル１３１は、基地局ＩＤ１３１１、上限送信電力１３１２、下限送信電力１３１３、通信アドレス１３１４から構成される。
【００２７】
基地局ＩＤ１３１１は、フェムトセル無線基地局１００の識別子を格納する。上限送信電力１３１２は、フェムトセル無線基地局１００が電波発射できる最大の送信電力を格納する。下限送信電力１３１３は、フェムトセル無線基地局１００のＳｌｅｅｐＭｏｄｅ時の送信電力を格納する。通信アドレス１３１４は、フェムトセル無線基地局１００の通信アドレスを格納する。
【００２８】
この基地局情報テーブル１３１のデータは、このフェムトセル無線基地局１００が設置された段階またはそれ以前に格納される。ただし、上限送信電力についてはフェムトセル基地局が電波発射可能な最大の送信電力値を無線基地局１００が設置される以前に格納し、下限送信電力領域についてはフラッシュＲＯＭ１３０に格納したプログラム１３３によって無線基地局１００の設置後に上限送信電力領域を超えない値でユーザが移動局２００の使用範囲と無線基地局との距離に応じて任意に設定できる。
【００２９】
図４Ｂにおいて、電力制御基準値テーブル１３２は、フェムトセル無線基地局１００の電力制御を行うための情報が格納される。電力制御基準値テーブル１３２は、電力比：中１３２１、電力比：低１３２２、電力比：高１３２３、ＳｌｅｅｐＭｏｄｅＴｉｍｅ１３２４、ＰｏｗｅｒＯｆｆＴｉｍｅ１３２５から構成される。
【００３０】
電力比：中１３２１、電力比：低１３２２、電力比：高１３２３は、フェムトセル無線基地局１００の接続移動局情報テーブル１２１から取得した受信電力の良し悪しを判断する基準値が格納されている。ＳｌｅｅｐＭｏｄｅＴｉｍｅ１３２４は、ＳｌｅｅｐＭｏｄｅへモード変更するための基準時間が格納されている。ＰｏｗｅｒＯＦＦＴｉｍｅ１３２５は、フェムトセル無線基地局１００の電源ＯＦＦするための基準時間が格納されている。
【００３１】
図４Ｃにおいて、プログラム格納領域１３３は、ＣＰＵ１１０の各処理部１１１〜１１４を実現する電力制御プログラム１３３１、接続移動局情報テーブル更新プログラム１３３２、ＳｌｅｅｐＭｏｄｅ復帰プログラム１３３３が格納されている。電力制御プログラム１３３１は、基準局の電力比と電力制御基準値テーブル１３２に基づいて、送信電力を制御する。接続移動局情報テーブル更新プログラム１３３２は、移動局から受信した受信電力に基づいて、接続移動局情報テーブル１２１を更新する。ＳｌｅｅｐＭｏｄｅ復帰プログラム１３３３は、フェムトセル無線基地局１００の稼動状態（通常運用、ＳｌｅｅｐＭｏｄｅ、電源ＯＦＦ）を制御する。
【００３２】
図５を参照して、移動局２００の構成を説明する。図５において、移動局２００は、内部通信線２６０で相互接続されたＣＰＵ２１０、ＲＡＭ２２０、フラッシュＲＯＭ２３０、電力制御部２４０、無線Ｉ／Ｆ２５０、アンテナ２５１で構成されている。ＣＰＵ２１０は、通信制御部２１１を含む。ＲＡＭ２２０は、受信電力テーブル２２１を保持する。フラッシュＲＯＭ２３０は、移動局情報テーブル２３１を保持する。
【００３３】
ＣＰＵ２１０は、各演算処理を実行する。ＲＡＭ２２０は、ＣＰＵ２１０のワークエリアとなる。フラッシュＲＯＭ２３０は、各種データおよびプログラムを格納する。電力制御部２４０は、各部への電力供給を制御する。アンテナ２５１は、フェムトセル無線基地局１００との間で無線通信する。無線インタフェース２５０は、アンテナ２５１を接続する。
【００３４】
通信制御部２１１は、フェムトセル無線基地局１００との通信制御を行なう。受信電力テーブル２２１は、アンテナ２５１より取得された受信電力を格納する。移動局情報テーブル２３１は、移動局の情報を格納する。
【００３５】
図６Ａを参照して、受信電力テーブル２２１を説明する。図６Ａにおいて、受信電力テーブル２２１は、無線基地局ＩＤ２２１１、無線基地局通信アドレス２２１２、受信電力２２１３で構成されている。無線基地局ＩＤ２２１１は、アンテナ２５１が現在受信しているフェムトセル無線基地局１００のＩＤである。無線通信アドレス２２１２は、アンテナ２５１が現在受信しているフェムトセル無線基地局１００の通信アドレスである。そして、受信電力値２２１３は、アンテナ２５１が受信している受信電力値である。
【００３６】
図６Ｂを参照して、移動局情報テーブル２３１を説明する。図６Ｂにおいて、移動局情報テーブル２３１は、移動局２００の移動局ＩＤ２３１１、移動局通信アドレス２３１２、移動局番号２３１３から構成されている。移動局ＩＤ２３１１は、移動局の識別子である。移動局通信アドレス２３１２は、移動局の通信アドレスである。移動局番号２３１３は、移動局の電話番号である。
【００３７】
図７を参照して、無線通信システム５００の動作を説明する。なお、ここでは、フェムトセル無線基地局１００が既に稼動している状態で、新に移動局２００−Ａ，２００−Ｂが順次に接続する場合について説明する。また、以下では、特定の移動局２００を示す場合には、「移動局Ａ」のように、移動局の識別子を付して説明する。
【００３８】
図７において、フェムトセル無線基地局１００の稼動状態１２３には、初期状態として「ＳｌｅｅｐＭｏｄｅ」が格納されている（Ｓ６０１）。フェムトセル無線基地局１００は、通信制御部１１１を制御して、変換部１７０、無線インタフェース１５０およびＡＮＴＳ部１５１を介して、周期的に周囲の移動局２００に対して受信電力通知要求を送信する（Ｓ６０２）。移動局Ａは、フェムトセル無線基地局１００からの受信電力通知要求を受信すると、通信制御部２１１を制御して、接続要求，受信電力通知を行なう（Ｓ６０３）。
【００３９】
フェムトセル無線基地局１００は、移動局Ａからの接続要求，受信電力通知を受信すると、移動局監視部１２１を制御して、接続移動局情報テーブル１２１の情報を更新する（Ｓ６０４）。フェムトセル無線基地局１００は、電力制御プログラム１３３１を起動し送信電力制御を行なう（Ｓ６０６）。さらにフェムトセル無線基地局１００は、稼動状態レジスタ１２３を「ＳｌｅｅｐＭｏｄｅ」から「通常運用」へ書き換えを行なう（Ｓ６０７）。なお、接続移動局情報テーブル１２１の更新フローおよび電力制御プログラム１３３１の送信電力制御フローの詳細は、後述する。
【００４０】
フェムトセル無線基地局１００は、移動局Ａに対して、接続許可を送信する（Ｓ６０８）。このタイミングで、フェムトセル無線基地局１００は、基地局の周囲の移動局２００に対して受信電力通知要求を送信する（Ｓ６０９）。接続許可を得た移動局Ａは、フェムトセル無線基地局１００に対し、受信電力通知を行なう（Ｓ６１１）。受信電力通知を受けたフェムトセル無線基地局１００は、接続移動局情報テーブル１２１の情報を更新する（Ｓ６１２）。フェムトセル無線基地局１００は、電力制御プログラム１３３１を起動し、送信電力制御を行なう（Ｓ６１３）。
【００４１】
フェムトセル無線基地局１００は、基地局の周囲の移動局２００に対して受信電力通知要求および受信電力通知を送信する（Ｓ６１４）。移動局Ａが接続されている状態で、移動局Ｂは、接続要求，受信電力通知を、フェムトセル基地局２００に送信する（Ｓ６１６）。また、移動局Ａは、受信電力通知を、フェムトセル基地局２００に送信する（Ｓ６１７）。フェムトセル無線基地局１００は、接続移動局情報テーブル１２１の情報を更新する（Ｓ６１８）。フェムトセル無線基地局１００は、電力制御プログラム１３３１を起動し、送信電力制御を行なう（Ｓ６１９）。そして、フェムトセル無線基地局１００は、移動局Ｂに対して接続許可を送信する（Ｓ６２１）。
【００４２】
フェムトセル無線基地局１００は、基地局の周囲の移動局２００に対して受信電力通知要求を送信する（Ｓ６２２）。移動局Ａ，移動局Ｂは、フェムトセル基地局１００に、受信電力通知を送信する（Ｓ６２３、Ｓ６２４）。フェムトセル無線基地局１００は、接続移動局情報テーブル１２１の情報を更新する（Ｓ６２６）フェムトセル基地局１００は、電力制御プログラム１３３１を起動し、送信電力制御を行なう（Ｓ６２７）。
【００４３】
ここで、移動局Ａ，移動局Ｂは、フェムトセル無線基地局１００に、接続終了通知を送信する（Ｓ６２８、Ｓ６２９）。フェムトセル基地局１００は、接続移動局テーブル１２１の更新を行なう（Ｓ６３１）。フェムトセル基地局１００は、電力制御基準値テーブル１３２のＳｌｅｅｐＭｏｄｅＴｉｍｅ１３２４の時間「Ｔ１[sec]」を経過するまでに移動局２００からの接続要求がないことを確認する（Ｓ６３２）。フェムトセル基地局１００は、稼動状態レジスタ１２３を「通常運用」から「ＳｌｅｅｐＭｏｄｅ」へ書き換えを行なう（Ｓ６３３）。フェムトセル無線基地局１００は、電力制御部１１３と電力制御装置１４０を用いて、の基地局情報テーブル１３１の下限送信電力領域１３１３に格納されている送信電力に送信電力レジスタ１２２を書き換える。
【００４４】
また、フェムトセル無線基地局１００は、稼働状態レジスタ１２３が「ＳｌｅｅｐＭｏｄｅ」の時、ＰｏｗｅｒＯＦＦＴｉｍｅ１３２５の時間「Ｔ２[sec]」を経過するまでに移動局２００からの接続要求がなかったことを確認する（Ｓ６３４）。ここで、フェムトセル無線基地局１００は、電源をＯＦＦにする（Ｓ６３６）。
【００４５】
以上のように、本実施例では、フェムトセル無線基地局１００は、接続される移動局にあわせて電力制御を行ない、接続がない場合は「ＳｌｅｅｐＭｏｄｅ」にて送信電力を抑えることで効率の良い電力制御を行なう。フェムトセル無線基地局１００は、さらに接続がない場合、電源をＯＦＦとすることで、消費電力を抑える。なお、フェムトセル無線基地局１００の電源ＯＮは、移動局２００のユーザが手動で実施する。これは、フェムトセル無線基地局１００のユーザは、移動局２００のユーザだからである。
【００４６】
ＳｌｅｅｐＭｏｄｅのとき、フェムトセル無線基地局１００のセル径は、当然小さくなる。しかし、移動局２００をフェムトセル無線基地局１００の近傍に持ってきて、接続を開始すれば、済むことである。一旦、接続すれば、セル径は、通常運用のセル径に拡大する。
【００４７】
図８を参照して、移動局２００の受信電力通知処理を説明する。図８において、移動局２００は、フェムトセル無線基地局１００からの受信電力通知要求を検出する（Ｓ７０１）。移動局２００は、ＲＡＭ２２０に保持している受信電力テーブル２２１を読み取る（Ｓ７０２）。次に、移動局２００は、フラッシュＲＯＭ２３０内に保持している移動局情報テーブル２３１を読み取る（Ｓ７０３）。移動局２００は、読み取った情報の中から、フェムトセル無線基地局１００からの受信電力２２１３と、移動局ＩＤ２３１１、移動局通信アドレス２３１２、移動局番号２３１３をフェムトセル無線基地局１００に対し送信し（Ｓ７０４）、終了する。
【００４８】
以上のように、本実施例における移動局２００は、フェムトセル無線基地局１００からの受信電力通知要求に対し、受信電力２２１３と、移動局ＩＤ２３１１、移動局通信アドレス２３１２、移動局番号２３１３とを通知する。
【００４９】
図９を参照して、フェムトセル無線基地局１００の接続移動局情報テーブル更新処理を説明する。図９において、フェムトセル無線基地局１００の移動局監視部１１２は、移動局２００からの接続要求および受信電力通知を検出する（Ｓ８０１）。移動局監視部１１２は、ＲＡＭ１２０内に保持している接続移動局情報テーブル１２１の読み取りを行なう（Ｓ８０２）。移動局監視部１１２は、接続移動局情報テーブル１２１に、移動局２００の情報を入力し更新する（Ｓ８０３）。次に、移動局監視部１１２は、ＳｌｅｅｐＭｏｄｅカウンタ１２４を読み取る（Ｓ８０４）。移動局監視部１１２は、ＳｌｅｅｐＭｏｄｅカウンタ１２４が「０[sec]」となっているか判定する（Ｓ８０５）。ＮＯのとき、移動局監視部１１２は、ＳｌｅｅｐＭｏｄｅカウンタ１２４を「０[sec]」とする（Ｓ８０６）。
【００５０】
ステップ８０５でＹＥＳのとき、またはステップ８０６のあと、移動局監視部１１２は、接続移動局情報テーブル１２１に登録されている移動局の中で、最も受信電力が低い移動局の基準局フラグを「１」に、その他の移動局の基準局フラグを「０」にする（Ｓ８０７）。次に、移動局監視部１１２は、電力制御基準値テーブル１３２を読み取る（Ｓ８０８）。移動局監視部１１２は、電力制御プログラムを実行する（Ｓ８０９）。電力制御プログラム実行の後、移動局監視部１１２は、稼働状態レジスタ１２３を読み取る（Ｓ８１０）。移動局監視部１１２は、稼働状態レジスタ１２３が「通常運用」になっているか判定する（Ｓ８１１）。ＹＥＳのとき、移動局監視部１１２は、そのまま終了する。ステップ８１１でＮＯのとき、移動局監視部１１２は、稼働状態レジスタ１２３を「通常運用」に更新し（Ｓ８１２）、終了する。
【００５１】
以上のように、本実施例におけるフェムトセル無線基地局１００の移動局監視部１１２は、移動局２００からの接続要求検出時および受信電力通知検出時に、接続移動局情報テーブル１２１の更新を行なう。
【００５２】
図１０を参照しして、移動局監視部１１２の接続終了処理を説明する。図１０において、フェムトセル無線基地局１００の移動局監視部１１２は、通信制御部１１１を介して移動局２００からの接続終了通知を検出する（Ｓ９０１）。移動局監視部１１２は、接続移動局情報テーブル１２１を読み取る（Ｓ９０２）。移動局監視部１１２は、接続移動局情報テーブル１２１から接続終了通知を受けた移動局２００の情報を削除する（Ｓ９０３）。この時、移動局監視部１１２は、接続移動局情報テーブル１２１にその他の移動局の登録がないか判定する（Ｓ９０４）。ＹＥＳのとき、移動局監視部１１２は、接続移動局情報テーブル１２１の受信電力が最も悪い移動局の基準局フラグを「１」とし、その他の移動局については「０」に設定する（Ｓ９０５）。移動局監視部１１２は、電力制御基準値テーブル１３２を読み取る（Ｓ９０６）。移動局監視部１１２は、電力制御プログラムを実行し（Ｓ９０７）、処理を終了する。
【００５３】
ステップ９０４でＮＯのとき、移動局監視部１１２は、電力制御基準値テーブル１３２を読み取る（Ｓ９０８）。次に、移動局監視部１１２は、ＲＡＭ１２０内に保持しているＳｌｅｅｐＭｏｄｅカウンタ１２４を読み取る（Ｓ９０９）。移動局監視部１１２は、ＳｌｅｅｐＭｏｄｅカウンタ１２４を用いてＳｌｅｅｐＭｏｄｅＴｉｍｅ１３２４で保持している「Ｔ１[sec]］カウントを行なう（Ｓ９１０）。「Ｔ１[sec]」カウントが完了した後、移動局監視部１１２は、電力制御部１４０へ、下限送信電力「Ｐ２［Ｗ］」となるように電力変更指示を送信し、電力制御１４０は送信電力を変更する（Ｓ９１１）。移動局監視部１１２は、稼働状態レジスタ１２３を「ＳｌｅｅｐＭｏｄｅ」に変更する（Ｓ９１２）。移動局監視部１１２は、ＳｌｅｅｐＭｏｄｅカウンタ１２４を「０[sec]」に戻し（Ｓ９１３）、処理を終了する。
【００５４】
図１１を参照して、移動局監視部１１２のＳｌｅｅｐＭｏｄｅからの遷移処理を説明する。図１１において、移動局監視部１１２は、電力制御基準値テーブル１３２を読みとる（Ｓ９２１）。移動局監視部１１２は、ＰｏｗｅｒＯＦＦカウンタ１２５を読みとる（Ｓ９２２）。移動局監視部１１２は、ＰｏｗｅｒＯＦＦカウンタ１２５が０[sec]となっているか判定する（Ｓ９２３）。ＹＥＳのとき、移動局監視部１１２は、ＰｏｗｅｒＯＦＦカウンタでＴ２[sec]のカウントを開始する（Ｓ９２４）。
【００５５】
移動局監視部１１２は、カウント終了までに移動局から接続・受信電力通知を受信したか判定する（Ｓ９２６）。ＹＥＳのとき、移動局監視部１１２は、接続移動局情報テーブルを更新する（Ｓ９２７）。移動局監視部１１２は、電力制御プログラムを実行する（Ｓ９２８）。移動局監視部１１２は、稼働状態を通常運用に変更して（Ｓ９２９）、終了する。
【００５６】
ステップ９２３でＮＯのとき、移動局監視部１１２は、ＰｏｗｅｒＯＦＦカウンタを０[sec]にして（Ｓ９３１）、ステップ９２４に遷移する。ステップ９２６でＮＯのとき、移動局監視部１１２は、電力制御装置１４０に電源ＯＦＦを指示して（Ｓ９３２）、終了する。
【００５７】
以上のように、本実施例のフェムトセル無線基地局１００の移動局監視部１１１は、ＳｌｅｅｐＭｏｄｅに遷移してから、一定時間移動局接続要求を受信しなかったとき、フェムトセル無線基地局１００の電源をＯＦＦにする。
【００５８】
最後に、図１２を参照して、電力制御プログラム１３３１による電力制御処理について説明する。ここで、電力制御プログラム１３３１は、移動局監視部１１２より呼び出されるプログラムである。
【００５９】
電力制御プログラム１３３１が移動局監視部１１２より呼び出されると、電力算出部１１４は、送信電力１２２と基準局の受信電力１２１３の電力比を求め、電力算出部１１４は、電力制御基準値テーブル１３２の電力比：低１３２２と比較を行なう（Ｓ９４１）。ＲＡＭ１２０の送信電力１２２と基準局の受信電力１２１３の電力比が電力比：低１３２２より低い場合（ＹＥＳ）、送信電力算出部１１４は、基準局の受信電力１２１３から電力比：中１３２１の範囲内”具体的には（Ｙ１＋Ｙ２）／２［ｄＢ］”になるように送信電力を算出する（Ｓ９４２）。電力算出部１１４は、算出した送信電力と、基地局情報テーブル１３１の上限送信電力１３１２を比較する（Ｓ９４３）。算出した送信電力が上限送信電力１３１ｂより高い場合（ＹＥＳ）、電力算出部１１４は、ＲＡＭ１２０の送信電力１２２を上限送信電力１３１２に変更して（Ｓ９４４）、リターンする。算出した送信電力が上限送信電力１３１２より低い場合（Ｓ９４３：ＮＯ）、電力算出部１１４は、算出した送信電力にＲＡＭ１２０の送信電力１２２を変更して（Ｓ９４６）、リターンする。
【００６０】
ステップ９４１でＮＯのとき、電力算出部１１４は、送信電力１２２と基準局の受信電力１２１３の電力比と、電力制御基準値テーブル１３２の電力比：高１３２３と比較を行なう（Ｓ９４７）。ＲＡＭ１２０の送信電力１２２と基準局の受信電力１２１３の電力比が電力比：高１３２３より高い場合（ＹＥＳ）、電力算出部１１４は、基準局の受信電力１２１３から電力比：中１３２１の範囲内”例えば（Ｙ１＋Ｙ２）／２［ｄＢ］”になるように送信電力を算出する（Ｓ９４８）。電力算出部１１４は、算出した送信電力と、基地局情報テーブル１３１の下限送信電力１３１３を比較する（Ｓ９４９）。算出した送信電力が下限送信電力１３１３より低い場合（ＮＯ）、ＲＡＭ１２０の送信電力１２２を下限送信電力１３１３に変更して（Ｓ９５２）、リターンする。ステップ９４９で、送信電力１２２と基準局の受信電力１２１３の電力比が下限送信電力１３１３より高い場合（ＹＥＳ）、送信電力１２２を算出した送信電力に変更して（Ｓ９５１）、リターンする。ステップ９４７でＮＯのとき、つまり、電力制御基準値テーブル１３２の電力比：中１３２１の範囲内に収まっている場合、電力算出部１１４は、ＲＡＭ１２０の送信電力１２２の変更はおこなわず、リターンする。
以上のように、本実施例におけるフェムトセル無線基地局１００は、接続される移動局１００の受信電力にあわせて電力制御を行なう。なお、本実施例における電力比は、移動局から送信されるＣ／Ｉ（Carrier to Interference：搬送波対干渉雑音）などの情報でも代用可能である。
【符号の説明】
【００６１】
１…ＩＰ網、１００…フェムトセル無線基地局、１１０…ＣＰＵ、１１１…通信制御部、１１２…移動局監視部、１１３…電力制御部、１１４…電力算出部、１２０，２２０…ＲＡＭ、１２１…接続移動局情報テーブル、１２２…送信電力レジスタ、１２３…稼働状態レジスタ、１２４…カウンタ、１３０，２３０…フラッシュＲＯＭ、１３１…基地局情報テーブル、１３２…電力制御基準値テーブル、１３３…プログラム１４０，２４０…電力制御部、１５０…無線インタフェース、１５１…ＡＮＴＳ部、１６０…ネットワークインタフェース、２００…移動局、２１０…ＣＰＵ、２１１…通信制御部、２５０…無線インタフェース、２５１…アンテナ、５００…無線通信システム。
【図１】
2011244378.tif 000003
【図２】
2011244378.tif 000004
【図３Ａ】
2011244378.tif 000005
【図３Ｂ】
2011244378.tif 000006
【図３Ｃ】
2011244378.tif 000007
【図３Ｄ】
2011244378.tif 000008
【図３Ｅ】
2011244378.tif 000009
【図４Ａ】
2011244378.tif 000010
【図４Ｂ】
2011244378.tif 000011
【図４Ｃ】
2011244378.tif 000012
【図５】
2011244378.tif 000013
【図６Ａ】
2011244378.tif 000014
【図６Ｂ】
2011244378.tif 000015
【図７】
2011244378.tif 000016
【図８】
2011244378.tif 000017
【図９】
2011244378.tif 000018
【図１０】
2011244378.tif 000019
【図１１】
2011244378.tif 000020
【図１２】
2011244378.tif 000021